(57)【要約】【課題】貼り付け時の剥離作業の際にリボンの巻き付けが緩んだり、貼り付け位置がずれたりしにくく、また剥離後の剥離紙が商品の包装内に紛れ込んだり細部に挟まったりすることを防ぎ、さらに包装用リボンをあらかじめ短冊状に切断したものにおいての問題が生じにくく、取り扱いに優れた包装用リボンの販売セットを提供する。【解決手段】所定長さに伸びるリボン本体１１の表面に結び部１２０を形成し、両端の裏面にリボン接着剤１３をそれぞれ形成した包装用リボン１と、この包装用リボン１のリボン本体１１の長さ方向に亘って包装用リボン１の裏側に配された剥離シート２とから構成される。剥離シート２のシート表面には包装用リボン１両端のリボン接着剤１３を剥離可能に接着する剥離面３が帯状領域として形成され、この剥離面３の帯状領域内に包装用リボン１の両端のリボン接着剤１３が配置されて貼り付けられる。【選択図】  図１
0003155848.tif 000002
【実用新案登録請求の範囲】
【請求項１】
所定長さに伸びるリボン本体（１１）の表面に結び部（１２０）を形成し、両端の裏面にリボン接着剤（１３）をそれぞれ形成した包装用リボン（１）と、この包装用リボン（１）のリボン本体（１１）の長さ方向に亘って包装用リボン（１）の裏側に配された剥離シート（２）とから構成され、剥離シート（２）のシート表面には包装用リボン（１）両端のリボン接着剤（１３）を剥離可能に接着する剥離面（３）が帯状領域として形成され、この剥離面（３）の帯状領域内に包装用リボン（１）の両端のリボン接着剤（１３）が配置されるようにして、一本または複数本の包装用リボン（１）が、剥離シート（２）上に貼り付けられることを特徴とする包装用リボンの販売セット。
【請求項２】
複数本の包装用リボン（１）の各リボン本体（１１）が並走し、かつ各結び部（１２０）が直線上に整列して配置され、これら包装用リボン（１）群の並走幅よりも一回り大きい一辺を有する矩形の剥離シート（２）上に貼り付けられ、剥離シート（２）の前記一辺と隣り合う各辺に沿って矩形領域からなる剥離面（３）が一対、両端に形成される請求項１記載の包装用リボンの販売セット。
【請求項３】
剥離面３は、所定の帯状領域形状に切断されて剥離シート（２）上に貼り付けられた粘着テープの表面に予め形成された離型処理面からなる請求項１または２記載の包装用リボンの販売セット。
【請求項４】
包装用リボン（１）が貼り付けられた剥離シート（２）のうち、剥離面（３）を含む少なくとも一端の端部片が包装用リボン（１）の端部と共に裏側へ折り返され、残る表側に露出した部分に結び部（１２０）が配置される請求項１乃至３のいずれか記載の包装用リボンの販売セット。
【請求項５】
包装用リボン（１）は、縦リボン本体（１２）が結び部（１２０）でリボン本体（１１）に交差してリボン本体（１１）と共に十字状に配され、少なくとも縦リボン本体（１１）の両端部に縦リボン接着剤（１３）が設けられたものであって、
複数本の包装用リボン（１）からなる包装用リボン（１）群において、縦リボン本体（１１）または横リボン（１２）のいずれか各一方が並走するように整列配置され、いずれか他方が中央寄りの位置で重なると共に両端にむかってずれて並ぶように配置され、
剥離シート（２）の周囲四方向に亘って形成された剥離面（３）に、それぞれのリボン接着剤が剥離可能に接着形成される包装用リボンの販売セット。
【考案の詳細な説明】
【技術分野】
【０００１】
品物を容器や包装紙で包装する場合に包装用リボンを使用することでリボン掛けの美観を呈する。本考案はこの包装用リボン自体を販売する形態である、包装用リボンの販売セットに関する。
【背景技術】
【０００２】
品物を容器や包装紙で包装する場合に、簡単にリボン掛けを行うべく、あらかじめ縦帯リボンの中心部分を蝶リボン状に結ぶか、別途成形した蝶リボン片を張り付けた包装用リボンを使用する場合がある。例えば従来の包装用リボンとして、中心部に結びを形成しないで折り畳み形成した蝶リボン部の中心部に上から縦帯リボンを当て、該縦帯リボンの上下部分を後ろで合わせて結着した包装用リボンが開示される（たとえば特許文献１参照）。これは商品を包装する際の熟練を要することなく簡単に奇麗にリボン掛けができ、蝶リボンの中心部に形成する結びがワイヤーを使用することなくリボンによって簡単にでき、リボン飾りの製作コストも縮減できるようにしたもの、とされる。
【先行技術文献】
【特許文献】
【０００３】
【特許文献１】特開２０００−４５１５９号公報
【考案の概要】
【考案が解決しようとする課題】
【０００４】
このような包装用リボンにおいて、裏面に粘着剤を設けたものが存在する。例えば図１１に示すように、リボン両端部の裏面の粘着剤上に剥離紙をとりつけており、容器や包装紙にリボンを巻き付け、剥離紙をはがして粘着剤の部分を貼り付けるだけで簡単にリボン掛けの美観を呈する。
【０００５】
しかしながら上記包装用リボンは、貼り付け時に両端の各剥離紙の剥離作業を行う必要があり、この剥離作業の際にリボンの巻き付けが緩んだり、貼り付け位置がずれたりすることがあった。また剥離後の剥離紙の小片が商品の包装内に紛れ込んだり細部に挟まったりする場合があった。
【０００６】
また上記のような裏面粘着剤を設けた包装用リボンをあらかじめ短冊状に切断したものは、リボンが折れ曲がる／皺ができる、結び部がよれる／潰れる、といった問題が生じやすく、取り扱いが容易とはいえなかった。
【０００７】
そこで本考案では、貼り付け時の剥離作業の際にリボンの巻き付けが緩んだり、貼り付け位置がずれたりしにくく、また剥離後の剥離紙が商品の包装内に紛れ込んだり細部に挟まったりすることを防ぎ、さらに包装用リボンをあらかじめ短冊状に切断したものにおいての問題が生じにくく、取り扱いに優れた包装用リボンの販売セットを提供することを課題とする。
【課題を解決するための手段】
【０００８】
本考案は上記課題を解決すべく以下（１）〜（５）の手段を採用している。
【０００９】
（１）本考案の包装用リボンの販売セットは、所定長さに伸びるリボン本体１１の表面に結び部１２０を形成し、両端の裏面にリボン接着剤１３をそれぞれ形成した包装用リボン１と、この包装用リボン１のリボン本体１１の長さ方向に亘って包装用リボン１の裏側に配された剥離シート２とから構成され、剥離シート２のシート表面には包装用リボン１両端のリボン接着剤１３を剥離可能に接着する剥離面３が帯状領域として形成され、この剥離面３の帯状領域内に包装用リボン１の両端のリボン接着剤１３が配置されるようにして、一本または複数本の包装用リボン１が、剥離シート２上に貼り付けられることを特徴とする。
【００１０】
（２）前記包装用リボンの販売セットにおいて、複数本の包装用リボン１の各リボン本体１１が並走し、かつ各結び部１２０が直線上に整列して配置され、これら包装用リボン１群の並走幅よりも一回り大きい一辺を有する矩形の剥離シート２上に貼り付けられ、剥離シート２の前記一辺と隣り合う各辺に沿って矩形領域からなる剥離面３が一対、両端に形成されることが好ましい。
【００１１】
（３）前記いずれかの包装用リボンの販売セットにおいて、剥離面３は、離型処理面を表面に有した粘着テープが所定の帯状領域形状に切断されて剥離シート２上に貼り付けられたものであることが好ましい。
【００１２】
（４）前記いずれかの包装用リボンの販売セットにおいて、包装用リボン１が貼りつけられた剥離シート２のうち、剥離面３を含む少なくとも一端の端部片が裏側へ折り返され、残る表側に露出した部分に結び部１２０が配置されることが好ましい。
【００１３】
（５）前記いずれかの包装用リボンの販売セットにおいて、包装用リボン１は、縦リボン本体１２が結び部１２０でリボン本体１１に交差してリボン本体１１と共に十字状に伸び、縦リボン本体１１の両端部に縦リボン接着材１２が設けられたものであって、
複数本の包装用リボン１からなる包装用リボン１群において、縦リボン本体１１または横リボン１２のいずれか各一方が並走するように整列配置され、いずれか他方が中央寄りの位置で重なると共に両端にむかってずれて並ぶように配置され、
剥離シート２の周囲四方向に亘って形成された剥離面３に、それぞれのリボン接着剤が剥離可能に接着形成されることが好ましい。
【考案の効果】
【００１４】
本考案の包装用リボンの販売セットは上記手段を講じており、貼り付け時の剥離作業の際にリボンの巻き付けが緩んだり、貼り付け位置がずれたりしにくく、また剥離後の剥離紙が商品の包装内に紛れ込んだり細部に挟まったりすることを防ぎ、さらに包装用リボンをあらかじめ短冊状に切断したものにおいての問題が生じにくく、取り扱いに優れた包装用リボンの販売セットを提供することが可能である。
【図面の簡単な説明】
【００１５】
【図１】本考案の実施例１の包装用リボンの販売セットの正面図。
【図２】図１の剥離シート２から剥離させた包装用リボン１の背面図。
【図３】図１の包装用リボンの販売セットの底面図。
【図４】図１の包装用リボンの販売セットのＡ−Ｂ部拡大正面図。
【図５】図４の包装用リボンの販売セットのＣ−Ｃ線拡大断面図。
【図６】本考案の実施例１の包装用リボンの販売セットの正面図。
【図７】図１の包装用リボンの販売セットのＤ−Ｄ線拡大断面図。
【図８】実施例１及び２の包装用リボンの使用状態説明図。
【図９】本考案の実施例３の包装用リボン１及びその販売セットの正面説明図。
【図１０】実施例３の包装用リボンの販売セットの使用状態説明図。
【図１１】従来の包装用リボンの背面説明図。
【考案を実施するための形態】
【００１６】
以下、本包装用リボンの販売セットの実施形態を、実施例として示す各図と共に説明する。実施例１として図１〜５を、実施例２として図６〜８を、実施例３として図９，１０をそれぞれ示す。なお図１１は実施例１〜３の剥離シート２とは異なる小片の剥離紙が剥離可能に貼り付けられた包装用リボンである。
【００１７】
（包装用リボンの販売セットの基本構成）
本考案の包装用リボンの販売セットは基本的に、少なくとも一方向に所定長さに伸びるリボン本体１１を有した一本または複数本の包装用リボン１と、この包装用リボン１のリボン本体１１の長さ方向に亘って包装用リボン１の裏側に配された剥離シート２とから構成される。一本又は複数本の包装用リボン１は両端の裏面それぞれにリボン接着剤１３が設けられ、このリボン接着剤１３によって剥離シート２の両端の剥離面３へ貼り付けられる。以下、各実施例の構成について詳述する。
【実施例１】
【００１８】
図１〜５に示す実施例１の包装用リボンは横方向に走るリボン本体１１を有した包装用リボン１を複数本、縦方向に並べて等間隔に配置している。複数本の包装用リボン１は幅方向の位置が揃えられており、並べられた上側または下側から一本ずつ剥離シート２から剥がして使用する（図１）。剥がした後の包装用リボンは、例えば図８（ａ）に示すように横方向にリボン巻きして両側部で貼り付ける。
【００１９】
（包装用リボン１）
包装用リボン１は図１にしめすように、リボン本体１１の表面に結び部１２０を形成し、両端の裏面にリボン接着剤１３がそれぞれ形成される。結び部１２０には斜め上方及び斜め下方にそれぞれ環状及び平片状のリボン片１２が装飾形成される。リボン片１２及び結び部１２０は、リボン本体１１のリボン結びによって形成されても良いし、別製したリボン片１２を結び部１２０で捲きつけて或いは接着してリボン本体１１に固定したものでも良い。
【００２０】
複数本の包装用リボン１は、図１、図４に示すように、各リボン本体１１が並走し、かつ各結び部１２０が直線上に整列するように幅方向同位置に揃えて配置されることで、包装用リボン１群を構成する。この包装用リボン１群は、注文に応じた必要数の包装用リボン１からなり、配列状態のまま纏めて剥離シート２上に貼り付けられることで、一単位の包装用リボンの販売セットが構成される。
【００２１】
（剥離シート２）
剥離シート２のシート表面には包装用リボン１両端のリボン接着剤１３を剥離可能に接着する剥離面３が帯状領域として形成される（図１）。この剥離面３の帯状領域内に包装用リボン１の両端のリボン接着剤１３が配置されるようにして、一本または複数本の包装用リボン１が貼り付けられる。
【００２２】
剥離シート２は包装用リボン１群全体の幅及び全体の長さよりもそれぞれ一回り大きい各辺を有する大判の矩形シート体であって、包装用リボン１よりも高剛性或いは高強度となるような厚さのシート或いは薄板からなり、包装用リボン１よりも強いコシを有することで台紙の役目を果たす。弾性の軟質樹脂製のものでもよく、汎用の事務用紙からなるもの、あるいは不織布製のものでもよい。
【００２３】
図示しない剥離シート２の他の形態例として、表面に包装用リボン１の貼り付け位置を表示したものでも良い。また複数の包装用リボン１が貼り付けられる場合には、貼り付けられる複数の包装用リボン１間にミシン罫や切り取り線模様を施すなど、剥がした後の部分と剥がす前の部分、或いは使用前の複数の包装用リボン１群同士を台紙ごと切り離し可能な構造としても良い。
【００２４】
（剥離面３）
剥離シート２の両側辺に沿って、所定の帯状領域からなる剥離面３が一対、両側端に形成される。実施例１の剥離面３は、離型処理面３１を表面に有した粘着テープ３０が縦長の矩形形状に切断され、粘着テープ３０裏側の粘着部３２によって剥離シート２上に貼り付けられて構成される。この貼り付けられた粘着テープ３０の表側に予め施された離型処理部分の表面（離型処理面３１）が剥離面３となっている（図４及びそのＣ−Ｃ断面である図５）。離型処理面３１を表面に有した粘着テープ３０は例えば、汎用の包装用ガムテープ、シリコン樹脂コーティングテープなどが使用される。
【００２５】
剥離面３をこのような離型処理面３１、粘着部３２を予め有した粘着テープ３０の貼り付けによって構成することで、剥離シート２の両端が補強され、耐久性に優れると共に包装用リボン１の剥がしやすさが向上するなど、取り扱いに優れたものとなる。
【実施例２】
【００２６】
図６〜８に示す実施例２の包装用リボンの販売セットは縦方向に走るリボン本体１１を有した包装用リボン１を複数本、横方向に等間隔に配置している。図６に示すように、実施例２の包装用リボン１群は幅方向に並んだ複数本の包装用リボン１からなり、包装用リボン１群の左右端いずれかから順に一本ずつを剥離シート２から剥がして使用する。各包装用リボン１の使用は例えば、図８（ｂ）に示すように縦方向にリボン巻きして両側部で貼り付けて行う。
【００２７】
実施例２の剥離面は、図７に示すように、剥離シート２上に直接形成された離型処理材からなり、剥離シート２の上下辺に沿って一対が横長矩形の帯状領域として形成される。
特記しないその他の構成は実施例１と同様である。
【実施例３】
【００２８】
図９，１０に示す実施例３の包装用リボンの販売セットにおいて、包装用リボン１は、縦リボン本体１２１，１２２が結び部１２０で、横方向に長いリボン本体である横リボン本体１１１，１１２と交差して十字状に伸びる。この十字状の先端の裏面それぞれ、すなわち縦リボン本体１２１、１２２の両端部、並びに横リボン本体１１１，１１２の両端部の各裏面に、縦リボン接着材１４１、１４２並びに横リボン接着剤１３１，１３２が設けられる。
【００２９】
複数本の包装用リボン１からなる包装用リボン１群において、縦リボン本体１２１，１２２または横リボン本体１１１，１１２のいずれか一方が並走するように整列配置され、いずれか他方が中央寄りの位置で重なると共に両端にむかってずれて並ぶように配置される。実施例では剥離シート２上の正面視上部に配置される上部包装用リボン１群が左寄りの位置、正面視下部に配置される下部包装用リボン１群が左寄りの位置として、各群同士で互いに幅方向位置をわずかにずらして剥離シート２に貼り付けられる（図９）。但し、このずらし量は包装用リボン１のリボン接着剤１３の長さよりも短いことが好ましい。また上部、下部それぞれの包装用リボン１群では、複数の包装用リボン１ｈが、縦リボン本体１２１，１２２同士が両端の折り返し部を除いた中央部にて重なるように幅方向同位置すなわち鉛直方向に並べて配置される。
【００３０】
（端部片の折り返し部）
包装用リボン１が貼りつけられた剥離シート２のうち、剥離面３を含む少なくとも一端の端部片が折り返し部２１，２２として裏側へ折り返され、残る表側に露出した中央部２０に結び部１２０が配置されることが好ましい。実施例３では剥離シート２全体の上下４分の一高さの端部片をそれぞれ上折り返し部２１、下折り返し部２２として裏側へ折り返し、残る剥離シート２全体の半分高さの中央部２９に、縦整列する複数の結び部１２０を幅中央位置として左右に剥離面３が形成され、そこに各接着剤１３が縦整列して貼り付けられる。
【００３１】
上折り返し部２１、下折り返し部２２のそれぞれには、上辺、下辺それぞれに沿って、各折り返し部の幅よりも短い上離型処理面３１、下離型処理面３２が粘着テープの貼り付けによって横長矩形領域内に形成される。上離型処理面３１には、及び下離型処理面３２には、各包装用リボン１群において重ねて構成された縦リボン本体１２１，１２２の上端部及び下端部が、中央部２０と上折り返し部２１、下折り返し部２２の折辺境界を境として、放射状に拡げて折り曲げられ、各裏面のリボン接着剤１４１にて接着固定される。
【００３２】
具体的には上折り返し部２１において、上部包装用リボン１群の縦リボン本体１２１の上端部は、重ねられた最上枚のものが最も大きく左側にずれた最大傾斜片として接着され、その下枚から順に内側へずれた第二傾斜片、第三傾斜片、第四傾斜片として、傾斜角度を小さくしながら放射状に貼り付けられる。そして最下枚のものが、結び部１２０から幅方向にずれずに真っ直ぐに伸張して貼り付けられる。上部包装用リボン１群は最上枚の包装用リボン１が中央部２０にて最上部に配置されるため、この最上枚の包装用リボン１が最も左に大きく傾斜して貼り付けられる。そしてこの最上枚に続く下枚の包装用リボン１が順に内側にずれて、傾斜角度を小さくしつつ貼り付けられる。
【００３３】
また上折り返し部２１において、下部包装用リボン１群の縦リボン本体１２１の上端部は、重ねられた最上枚のものが最も大きく右側にずれた最大傾斜片として接着され、その下枚から順に内側へずれた第二傾斜片、第三傾斜片、第四傾斜片として、傾斜角度を小さくしながら放射状に貼り付けられる。そして最下枚のものが、結び部１２０から幅方向にずれずに真っ直ぐに伸張して貼り付けられる。下部包装用リボン１群は最上枚の包装用リボン１が中央部２０にて上部包装用リボン１群と近接して配置されるため、この最上枚の包装用リボン１が最も左に大きく傾斜して貼り付けられる。そしてこの最上枚に続く下枚の包装用リボン１が順に内側にずれて、傾斜角度を小さくしつつ貼り付けられる。
【００３４】
下折り返し部２２においては上下枚の傾斜が逆になっており、上下各包装用リボン１群の縦リボン本体１２１の上端部は、重ねられた最下枚のものが最も大きく側方にずれた最大傾斜片として接着され、その下枚から順に内側へずれた第二傾斜片、第三傾斜片、第四傾斜片として、傾斜角度を小さくしながら放射状に貼り付けられる。そして最上枚のものが、結び部１２０から幅方向にずれずに真っ直ぐに伸張して貼り付けられる。
【００３５】
実施例３のようにリボン接着剤１３を放射状に貼り付けることで、包装用リボン１の先端がかさならずコンパクトに構成されると共に、体裁が良く、又包装用リボン１を順に剥がして使用することで、リボン本体同士が絡まったりすることがない。
【００３６】
さらに裏側へ折り返すことで、十字方向で複雑な包装用リボン１同士の重なりが整然と整理された状態で保持可能となる。
【００３７】
折り返した折り返し部２１は、包装用リボン１を剥がす際に、図１０のようにその折り返し状態を解除することが好ましいが、他に図９の折り返し状態のまま、剥がす包装用リボン１を持ち上げてたどった先の縦リボン接着剤１４１を剥離させても良い。
【００３８】
なお、剥離面３を含む折り返し部を有して貼り付けた包装用リボン１の端部と共に折り返す剥離シート２は、実施例３の十字状の包装用リボン１の販売セットに適用するほか、実施例１，２のような一字状の包装用リボン１の販売セットにおいても適用可能である。
特記しないその他の構成は実施例１，２と同様である。
【００３９】
その他本考案は上述した実施例に制限されることなく種々の要素変更、要素或いは構成の抽出、置換、一部省略、実施例間の組み換え、置換、及び寄せ集めが可能である。
【符号の説明】
【００４０】
１  包装用リボン
１１  リボン本体
１２１，１２２  縦リボン本体
２  剥離シート
１２０  結び部
１３  リボン接着剤
３  剥離面
【図１】
0003155848.tif 000003
【図２】
0003155848.tif 000004
【図３】
0003155848.tif 000005
【図４】
0003155848.tif 000006
【図５】
0003155848.tif 000007
【図６】
0003155848.tif 000008
【図７】
0003155848.tif 000009
【図８】
0003155848.tif 000010
【図９】
0003155848.tif 000011
【図１０】
0003155848.tif 000012
【図１１】
0003155848.tif 000013